(57)【要約】【課題】簡単な構造でありながら、五徳に被加熱物が載置されているか否かを精度よく検出することが可能となるコンロを提供する。【解決手段】環状の基体から上方に突出する状態で複数の被加熱物載置用の爪部が設けられた五徳と、その五徳に被加熱物が載置されているか否かを検出する被加熱物検出手段とが備えられたコンロであって、五徳の前記基体から下方に向けて突出する脚状体と、前記脚状体の下端部を受け止め支持する受止め支持部材とが設けられ、五徳が、被加熱物の載置状態と非載置状態とに変化することにより前記脚状体を受け止め支持する前記受止め支持部材の受止め荷重が変化するように設けられ、被加熱物検出手段が、脚状体を受け止め支持する受止め支持部材の受止め荷重の変化を検出するように構成されている。【選択図】図１
2007263507.tif 000002
【特許請求の範囲】
【請求項１】
環状の基体から上方に突出する状態で複数の被加熱物載置用の爪部が設けられた五徳と、その五徳に被加熱物が載置されているか否かを検出する被加熱物検出手段とが備えられたコンロであって、
前記五徳の前記基体から下方に向けて突出する脚状体と、前記脚状体の下端部を受け止め支持する受止め支持部材とが設けられ、
前記五徳が、被加熱物の載置状態と非載置状態とに変化することにより前記脚状体を受け止め支持する前記受止め支持部材の受止め荷重が変化するように設けられ、
前記被加熱物検出手段が、前記脚状体を受け止め支持する前記受止め支持部材の受止め荷重の変化を検出するように構成されているコンロ。
【請求項２】
前記受止め支持部材が、天板の下方側箇所に、その天板から離間する状態で設けられ、
前記脚状体が、前記天板の下方側に向けて延びる状態で設けられ、
前記五徳が、被加熱物の載置状態と非載置状態とに変化することにより前記脚状体を受け止め支持する前記受止め支持部材の受止め荷重が変化するように、前記天板に対して上下動可能な状態で設けられている請求項１記載のコンロ。
【請求項３】
前記受止め支持部材が、前記脚状体を受け止め支持することにより歪み変形可能に構成され、
前記被加熱物検出手段が、前記脚状体を受け止め支持するときの受止め荷重の変化を検出するために前記受止め支持部材の歪み量を検出するように構成されている請求項１又は２記載のコンロ。
【請求項４】
前記脚状体が、前記五徳の基体における周方向に間隔をあけて均等に配置する状態で３個以上設けられ、
前記被加熱物検出手段が、前記複数の脚状体の夫々に対応して複数設けられ、且つ、前記受止め支持部材にて受止め支持するときの受止め荷重の大きさを検出するように構成されている請求項１〜３のいずれか１項に記載のコンロ。
【請求項５】
前記五徳に載置されている被加熱物を加熱する加熱手段と、その加熱手段の運転を制御する運転制御手段とが設けられ、
前記運転制御手段が、
前記加熱手段の加熱作動中において、前記被加熱物検出手段の検出結果に基づいて、前記五徳に被加熱物が載置されている被加熱物存在状態から前記五徳に被加熱物が載置されていない被加熱物非存在状態に切り換わったことを判別すると、前記加熱手段の加熱量を低減させる加熱量低下処理を実行するように構成されている請求項１〜４のいずれか１項に記載のコンロ。
【発明の詳細な説明】
【技術分野】
【０００１】
本発明は、環状の基体から上方に突出する状態で複数の被加熱物載置用の爪部が設けられた五徳と、その五徳に被加熱物が載置されているか否かを検出する被加熱物検出手段とが備えられたコンロに関する。
【背景技術】
【０００２】
上記コンロは、五徳に鍋などの被加熱物を載置してガスバーナ等からなる加熱手段にて加熱する構成であり、被加熱物検出手段にて五徳に被加熱物が載置されているか否かを検出して、その検出結果に基づいて調理を適切に行うための種々の処理を行うことができるようにしたものであるが、このようなコンロにおいて、従来では、前記被加熱物検出手段として、被加熱物が五徳に載置されると、五徳の上端部よりも上方に突出するように上方に向けて弾性付勢されている伸縮操作部が被加熱物に接当して下方に移動してリミットスイッチがオンすることにより、被加熱物が載置されたことを検出するようにした接当式の伸縮操作機構が設けられる構成のものがあった（特許文献１参照）。
【０００３】
又、別の従来例として、次のような構成のものもあった。
すなわち、前記被加熱物検出手段として、五徳における複数の被加熱物載置用の爪部に、その爪部の歪みを検出する歪みゲージを備えて、その歪みゲージの検出値、具体的には、抵抗値の変化に基いて、被加熱物が載置されることにより五徳の爪部にかかる荷重が変化することを検出するようにしたもの（例えば、特許文献２参照）、及び、前記被加熱物検出手段として、五徳の基体が載置される天板の五徳載置部分に、基体の底面を受け止めてその底面から受ける圧力を検出する圧電素子を周方向に間隔をあけて分散配置させる状態で複数備えて、被加熱物が載置されることにより五徳にかかる荷重が変化することを検出するようにしたもの（例えば、特許文献３参照）もあった。
【０００４】
【特許文献１】特開２００５−１８８８１７号公報
【特許文献２】特開昭６３−２１４１９号公報
【特許文献３】特開２００５−２６５２２１号公報
【発明の開示】
【発明が解決しようとする課題】
【０００５】
特許文献１に記載の構成では、被加熱物が接当して機械的に変位する伸縮操作機構によって五徳に被加熱物が載置されているか否かを検出する構成であり、このような伸縮操作機構は、被加熱物が接当することにより押し操作されて機械的に操作されて被加熱物の存在を検知するものであるから、構造が複雑になる不利がある。
【０００６】
それに対して、特許文献２及び特許文献３に記載されるような、被加熱物が載置されることにより五徳にかかる荷重の変化を検出する構成を用いて、五徳に被加熱物が載置されているか否かを検出するようにすると、上記伸縮操作機構に比べて簡単な構造で対応することが可能である。
【０００７】
しかし、特許文献２に記載の構成は、被加熱物を受け止め支持する五徳の爪部における歪みを検出する構成となっているが、五徳は大きな荷重の被加熱物であっても、被加熱物の載置姿勢が不安定にならないように確実に受け止め支持する必要があり、五徳の爪部は被加熱物が載置されても歪みが生じ難い形態にて構成されるのが一般的であるから、前記歪みゲージにて検出される歪み量は少ないものとなる。しかも、前記歪ゲージが備えられる五徳の爪部は、加熱手段としてのガスバーナにて形成される火炎に晒されるおそれがあるが、形成される火炎の大きさにより、歪みゲージの雰囲気温度が大きく異なるおそれもあり、そのことによる抵抗値の変化に起因した検出誤差も発生するので、Ｓ／Ｎ（信号対雑音）比が悪くなり、被加熱物が載置されることによる五徳にかかる荷重の変化を精度よく検出することができず、五徳に被加熱物が載置されているか否かを精度よく検出することができないおそれがある。
【０００８】
又、特許文献３に記載の構成は、圧電素子によって基体における平面状の底面を受け止めて荷重を検出する構成となっているから、被加熱物が載置されることにより五徳にかかる荷重が平面状の底面の広い範囲にわたって分散された状態で前記各圧電素子にて受け止められることになる。このように荷重が五徳にかかる荷重が分散された状態で検出されるものであるから、被加熱物が載置されているか否かを精度よく検出することができないおそれがある。特に、調理物が入っていない空の鍋等の軽い被加熱物であれば、被加熱物が載置されているか否かを検出し難いものとなる。
【０００９】
本発明の目的は、簡単な構造でありながら、五徳に被加熱物が載置されているか否かを精度よく検出することが可能となるコンロを提供する点にある。
【課題を解決するための手段】
【００１０】
本発明に係るコンロは、環状の基体から上方に突出する状態で複数の被加熱物載置用の爪部が設けられた五徳と、その五徳に被加熱物が載置されているか否かを検出する被加熱物検出手段とが備えられたものであって、
その第１特徴構成は、前記五徳の前記基体から下方に向けて突出する脚状体と、前記脚状体の下端部を受け止め支持する受止め支持部材とが設けられ、
前記五徳が、被加熱物の載置状態と非載置状態とに変化することにより前記脚状体を受け止め支持する前記受止め支持部材の受止め荷重が変化するように設けられ、
前記被加熱物検出手段が、前記脚状体を受け止め支持する前記受止め支持部材の受止め荷重の変化を検出するように構成されている点にある。
【００１１】
第１特徴構成によれば、五徳の基体から下方に向けて突出する脚状体の下端部を受止め支持部材が受け止め支持する構成であり、被加熱物検出手段は、脚状体を受け止め支持する受止め支持部材の受止め荷重の変化を検出することになる。すなわち、五徳が被加熱物の載置状態と非載置状態とに変化することにより受止め支持部材の受止め荷重が変化することになるが、被加熱物検出手段は、そのように被加熱物の載置状態と非載置状態とに変化することにより五徳にかかる荷重の変化を検出するのである。
【００１２】
前記被加熱物検出手段は、受止め支持部材の受止め荷重の変化を検出するものであり、機械的な可動部は不要であるから、それだけ構造が簡単なものになる。
【００１３】
又、受止め支持部材は脚状体を受け止め支持するものであるから、五徳にかかる荷重を受止め支持部材に対して脚状体にて集中させることが可能となり、前記被加熱物検出手段は、このように五徳の荷重が集中的にかかる脚状体を受け止め支持する受止め支持部材の受止め荷重の変化を検出する構成となっているから、被加熱物の質量が小さい場合であっても、前記受止め荷重の変化を精度よく検出することが可能であり、五徳に被加熱物が載置されているか否かを精度よく検出することができる。
【００１４】
従って、簡単な構造でありながら、五徳に被加熱物が載置されているか否かを精度よく検出することが可能となるコンロを提供できるに至った。
【００１５】
本発明の第２特徴構成は、第１特徴構成に加えて、前記受止め支持部材が、天板の下方側箇所に、その天板から離間する状態で設けられ、前記脚状体が、前記天板の下方側に向けて延びる状態で設けられ、前記五徳が、被加熱物の載置状態と非載置状態とに変化することにより前記脚状体を受け止め支持する前記受止め支持部材の受止め荷重が変化するように、前記天板に対して上下動可能な状態で設けられている点にある。
【００１６】
第２特徴構成によれば、脚状体がコンロの上方側を覆う天板の下方側に向けて延びる状態で設けられて、五徳が天板に対して上下動可能な状態で設けられるので、五徳の基台を天板の上部に位置させるようにしながら、被加熱物の載置状態と非載置状態とに変化することにより受止め支持部材の受止め荷重が変化する状態で脚状体を受け止め支持することができる。
【００１７】
又、前記受止め支持部材が、天板の下方側箇所に、その天板から離間する状態で設けられているから、被加熱物を加熱するための加熱手段による熱の影響を受けて高温になっている天板からの熱を受け難い状態で、被加熱物検出手段を配備することが可能となる。
【００１８】
従って、被加熱物検出手段は、熱による影響の少ない状態で、五徳に被加熱物が載置されているか否かを精度よく検出することが可能となる。
【００１９】
本発明の第３特徴構成は、第１特徴構成又は第２特徴構成に加えて、前記受止め支持部材が、前記脚状体を受け止め支持することにより歪み変形可能に構成され、前記被加熱物検出手段が、前記脚状体を受け止め支持するときの受止め荷重の変化を検出するために前記受止め支持部材の歪み量を検出するように構成されている点にある。
【００２０】
第３特徴構成によれば、受止め支持部材は、脚状体にて五徳にかかる荷重を集中させる状態で受け止め支持することが可能となるものであるから、被加熱物の質量が小さい場合であっても歪み量を極力大きくさせた状態で受止め支持することが可能となる。
そして、被加熱物検出手段は、このような受止め支持部材の歪み量を検出するようにしたから、前記脚状体を受け止め支持するときの受止め荷重の変化を精度よく検出することが可能となる。
【００２１】
本発明の第４特徴構成は、第１特徴構成〜第３特徴構成のいずれかに加えて、前記脚状体が、前記五徳の基体における周方向に間隔をあけて均等に配置する状態で３個以上設けられ、前記被加熱物検出手段が、前記複数の脚状体の夫々に対応して複数設けられ、且つ、前記受止め支持部材にて受止め支持するときの受止め荷重の大きさを検出するように構成されている点にある。
【００２２】
第４特徴構成によれば、前記脚状体が五徳の基体における周方向に間隔をあけて均等に配置する状態で３個以上設けられて、各脚状体は受止め支持部材にて受止め支持されることになる。このように構成することで、複数の脚状体にて均等に支持された状態で各受止め支持部材によって全荷重を受止め支持することになる。そのとき、五徳に被加熱物が載置されているときは被加熱物と五徳とを合わせた荷重が受止められ、五徳に被加熱物が載置されていないときは五徳の荷重が受止められることになる。つまり、複数の被加熱物検出手段にて検出される受止め荷重の大きさを合計すると被加熱物の質量を求めることが可能となる。
【００２３】
従って、被加熱物の質量を求めることが可能となるので、例えば、調理を行う場合に、各種の材料の質量を検出するキッチンスケールとして利用することが可能であり、加熱調理器としての使い勝手を向上することが可能となる。
【００２４】
本発明の第５特徴構成は、第１特徴構成〜第４特徴構成のいずれかに加えて、前記五徳に載置されている被加熱物を加熱する加熱手段と、その加熱手段の運転を制御する運転制御手段とが設けられ、前記運転制御手段が、前記加熱手段の加熱作動中において、前記被加熱物検出手段の検出結果に基づいて、前記五徳に被加熱物が載置されている被加熱物存在状態から前記五徳に被加熱物が載置されていない被加熱物非存在状態に切り換わったことを判別すると、前記加熱手段の加熱量を低減させる加熱量低下処理を実行するように構成されている点にある。
【００２５】
第５特徴構成によれば、前記加熱手段が加熱作動して被加熱物を加熱しているときに、被加熱物検出手段の検出結果に基づいて、五徳に被加熱物が載置されている被加熱物存在状態から五徳に被加熱物が載置されていない被加熱物非存在状態に切り換わったことを判別すると、加熱手段の加熱量を低減させる加熱量低下処理を実行するようにしたから、五徳上から被加熱物が外されたような場合、加熱手段が大火力で無駄な加熱作動を継続する不利を回避することができる。
【００２６】
そして、被加熱物検出手段によって五徳に被加熱物が載置されているか否かを精度よく検出することが可能であるから、被加熱物存在状態から被加熱物非存在状態に切り換わったことを精度よく検出して適正に加熱量低下処理を実行することが可能となる。
【発明を実施するための最良の形態】
【００２７】
以下、図面に基づいて、本発明に係るコンロの実施形態を説明する。
図１に示すように、コンロは、円形の加熱用の開口１ａを有する平板状の天板１、開口１ａの上方に離間させて鍋等の被加熱物Ｎを載置可能な五徳２、その五徳２上に載置される被加熱物Ｎを加熱する加熱手段としてのバーナ３、そのバーナ３の運転を制御する運転制御手段としての制御部４、人為操作にて制御部４に各種の指令を行う操作部５等を備えて構成されている。
【００２８】
前記バーナ３は、ブンゼン燃焼式の内炎式バーナであり、燃料ガスＧを噴出するガスノズル６、そのガスノズル６からの燃料ガスＧの噴出に伴う吸引作用により燃焼用空気Ａが供給される混合管７、及び、内周部に混合気を噴出する複数の炎口８を備え且つ混合管７から混合気が供給される環状ケーシング部材９等を備えて構成され、前記バーナ３は、前記開口１ａの下方に位置させて設けられている。図３にも示すように、前記五徳２は、環状の基体２Ａから上方に突出する状態で複数の被加熱物載置用の爪部２Ｂが設けられる構成となっている。
【００２９】
このバーナ３においては、混合管７から環状ケーシング部材９内に供給された燃料ガスＧと空気Ａとの混合気が炎口８から環状ケーシング部材９の中心に向けて略水平方向に噴出され、その噴出された燃料ガスＧと空気Ａとの混合気が燃焼して、火炎Ｆが前記開口１ａを通って上向きに形成される。
【００３０】
前記ガスノズル６への燃料ガスＧの供給を断続する燃料供給断続弁１０と、ガスノズル６への燃料ガスＧの供給量を調節する燃料供給量調節弁１１とが設けられ、バーナ３の環状ケーシング部材９内の下方には、開口１ａを介して落下した煮零れ等を受けるための汁受皿１２が設けられる。
【００３１】
そして、この五徳２の円環状の基体２Ａから下方に向けて突出する脚状体１３と、脚状体１３の下端部を受け止め支持する受止め支持部材１４とが設けられている。又、五徳２が、被加熱物Ｎの載置状態と非載置状態とに変化することにより脚状体１３を受け止め支持する受止め支持部材１４の受止め荷重が変化するように設けられている。
【００３２】
説明を加えると、前記脚状体１３は、図１、図３、及び、図４に示すように、細い棒状に形成されて五徳２の基体２Ａにおける周方向に間隔をあけて均等に配置する状態で３個設けられ、基体２Ａから突出するように一体的に形成されている。この脚状体１３は、五徳２を天板１上の被加熱物支持用の所定位置に装着するときは、天板１に形成された上下方向に貫通する３つの貫通孔１５の夫々を通して差し込み挿入される構成となっており、五徳２が所定の載置位置に載置されると、基体２Ａから天板１よりも下方側に向けて延びる状態で設けられることになる。
【００３３】
前記受止め支持部材１４は、図３及び図４に示すように、３個の脚状体１３の夫々に対応させて３個設けられており、図１に示すように、天板１の下方側箇所に、天板１から下方側に離間する状態で設けられている。各受止め支持部材１４は、固定支持体１６から立設された左右一対の縦板部材１７，１７によって架設支持される状態で設けられ、脚状体１３を受け止め支持することにより歪み変形可能に構成されている。
【００３４】
五徳２を天板１上の被加熱物支持用の所定位置に装着すると、基体２Ａの底面が天板１に載置される前に各脚状体１３が各受止め支持部材１４に接当して受止め支持される構成となっており、五徳２上に被加熱物Ｎが載置されると、被加熱物Ｎと五徳２とを合わせた荷重が各脚状体１３を介して各受止め支持部材１４にて受止め支持されることになる。従って、五徳２は、被加熱物Ｎの載置状態と非載置状態とに変化することにより脚状体１３を受け止め支持する受止め支持部材１４の受止め荷重が変化するように、天板１に対して上下動可能な状態で設けられることになる。
【００３５】
そして、五徳２に被加熱物Ｎが載置されているか否かを検出する被加熱物検出手段Ｋが備えられ、この被加熱物検出手段Ｋは、脚状体１３を受け止め支持する受止め支持部材１４の受止め荷重の変化を検出するように構成されている。
具体的には、被加熱物検出手段Ｋは、前記各受止め支持部材１４の歪み量を検出する歪みゲージ１８にて構成されている。受止め支持部材１４の歪み量は、脚状体１３を受止め支持するときの受止め荷重の大きさに対応するものであるから、歪みゲージ１８は、歪み量の大きさによって、受止め支持部材１４にて受止め支持するときの受止め荷重の大きさを検出することができる構成となっている。
【００３６】
図４に示すように、前記３個の脚状体１３は、五徳の基体２Ａにおける周方向に間隔をあけて均等に配置されるので、夫々の脚状体１３は安定的に荷重を支持することになり、前記３個の歪みゲージ１８にて検出される受止め荷重を合計すると、その合計した荷重は、五徳２に被加熱物Ｎが載置されているときは、被加熱物Ｎの質量と五徳２の質量とを合わせた質量に対応し、五徳２に被加熱物Ｎが載置されていないときは五徳２の質量に対応するものとなる。
【００３７】
そして、図１及び図４に示すように、前記各歪みゲージ１８の検出値は、マイクロコンピュータを備えて構成される制御部４に入力されており、制御部４は、各歪みゲージ１８の検出値に基づいて、五徳２に被加熱物Ｎが載置されている被加熱物存在状態であるか五徳２に被加熱物Ｎが載置されていない被加熱物非存在状態であるかを判別するように構成されている。
【００３８】
つまり、制御部４は、各歪みゲージ１８の検出値に基づいて、各受止め支持部材１４にて各脚状体１３を受止め支持するときの受止め荷重の大きさを求め、それらを合計することにより３個の脚状体１３にて支持する全荷重を求めることができる。そして、五徳２の重量は予め分かっているので、五徳２の重量又はそれに近い重量が検出されていると、被加熱物Ｎが載置されていない被加熱物非存在状態であり、五徳２の重量よりも設定量以上大きい値が検出されると、五徳２に被加熱物Ｎが載置されている被加熱物存在状態であることを検出することができる。
【００３９】
さらに、制御部４は、バーナ３の加熱作動中において、各歪みゲージ１８の検出値に基づいて、前記被加熱物存在状態から前記被加熱物非存在状態に切り換わったことを判別すると、バーナ３の加熱量を低減させる加熱量低下処理を実行するように構成されている。
【００４０】
説明を加えると、制御部４は、バーナ３の火力が操作部５に備えられる図示しない火力調整器によって設定される火力になるように、燃料供給量調節弁１１の開度を制御するように構成されている。そして、図５に示すように、バーナ３が加熱作動を実行しているときに、各歪みゲージ１８の検出値に基づいて、五徳２に被加熱物Ｎが載置されている被加熱物存在状態から五徳２に被加熱物Ｎが載置されていない被加熱物非存在状態に切り換わったことを判別すると（ステップ１，２）、バーナ３の加熱量を低減させる加熱量低下処理を実行する（ステップ３）。この加熱量低下処理は、図６に示すように、前記火力調整器によって設定されている設定火力から所定の小火力状態となるように、燃料供給量を低下させ、その後、被加熱物非存在状態が設定時間ｔ１以上継続すると、バーナ３の燃焼を停止させるようになっている。
【００４１】
〔別実施形態〕
以下、別実施形態を列記する。
【００４２】
（１）上記実施形態では、前記受止め支持部材は、固定支持体から立設された左右一対の縦板部材１７，１７によって架設支持される状態で設けられ、脚状体１３を受け止め支持することにより歪み変形可能に構成され、且つ、前記被加熱物検出手段Ｋが、受止め支持部材１４の歪み量を検出する歪みゲージ１８にて構成されるものを例示したが、これに代えて、次のように構成するものでもよい。
【００４３】
図７に示すように、前記受止め支持部材１４を、前記環状ケーシング部材９の外周側箇所から横外方に片持ち状に固定延設する構成として、前記被加熱物検出手段Ｋが、この受止め支持部材１４の受止め面１４ａに、脚状体１３から受ける圧力を検出する圧力センサ１９にて構成されるものでもよい。尚、前記受止め支持部材１４は、帯板状のもので形成してもよく、前記３個の脚状体に対応する位置にて放射状に延設する構成としてもよい。
【００４４】
（２）上記実施形態では、前記脚状体が、前記天板に形成された貫通孔を通して天板の下方側に延びるように設けられる構成としたが、このような構成に代えて、図８に示すように、前記脚状体１３が、バーナ３により被加熱物Ｎの加熱を行うために天板１に形成された開口１ａを通過し、且つ、汁受皿１２に形成した貫通孔２０を通して天板の下方側に延びるように設けられる構成としてもよい。
【００４５】
（３）上記実施形態では、前記各受止め支持部材が天板の下方側箇所であって、且つ、天板から離間する箇所に設けられる構成としたが、この構成に代えて、前記各受止め支持部材を天板の上側に設ける構成としてもよい。このように構成すると、前記五徳から下方に向けて突出する前記脚状体の突出量を少ないものにすることができる。
【００４６】
（４）上記実施形態では、前記被加熱物検出手段の検出値に基づいて、五徳に被加熱物が載置されている被加熱物存在状態であるか五徳に被加熱物が載置されていない被加熱物非存在状態であるかを判別する構成としたが、このような被加熱物の存否の判断に用いるだけでなく、前記被加熱物検出手段の検出値を用いて制御部により五徳に載置される被加熱物の質量を演算にて求めて、その計測結果を例えば、コンロの操作パネル部などに供えた表示装置にて表示するようにして、キッチンスケールを兼用する構成としてもよい。
【００４７】
（５）上記実施形態では、前記脚状体及び前記受止め支持部材が夫々３個づつ設けられる構成としたが、前記脚状体及び前記受止め支持部材を１個ずつ設ける構成としてもよい。例えば、図９及び図１０に示すように、基体２Ａから下方に突出するように脚状体１３を１個備えて、天板１に形成した貫通孔２１を通して天板１の下方に延びるように設けられ、脚状体１３に対して基体２Ａの周方向の適宜間隔をあけた２箇所に、脚状体１３が上下移動可能なように五徳２を傾動自在に天板１を安定的に支持するために、天板１の形成された凹部に嵌り合う突部が形成された載置支持部２２を形成して、五徳２が、被加熱物Ｎの載置状態と非載置状態とに変化することにより脚状体１３を受け止め支持する受止め支持部材１４の受止め荷重が変化するように設ける構成としてもよい。
【００４８】
（６）上記実施形態では、前記脚状体は五徳に一体的に備えられる構成としたが、脚状体は五徳に対して別体で設ける構成としてもよい。要するに、脚状体は、五徳ならびに五徳に載置される被加熱物の荷重を受止め支持部材にて受止め支持することができるように支持する構成であればよい。
【００４９】
（７）上記実施形態では、前記加熱量低下処理として、バーナの加熱手段を予め設定されている小火力状態に切り換え、さらに、その後、被加熱物非存在状態が設定時間継続すると、バーナの燃焼を停止させる構成としたが、このような構成に代えて、前記加熱量低下処理として、すぐにバーナを消火させる処理を実行する構成としてもよい。
【００５０】
（８）上記実施形態では、加熱手段としてガス燃焼式のバーナにて被加熱物を加熱するように構成したが、加熱手段として、電磁誘導加熱を行う磁界発生コイルを用いたもの等、電気式加熱部にて構成するものでもよい。
【図面の簡単な説明】
【００５１】
【図１】コンロの概略構成図
【図２】受止め支持部材による支持構造を示す図
【図３】五徳の支持状態を示す斜視図
【図４】脚状体と受止め支持部材との配置状態を示す図
【図５】制御動作のフローチャート
【図６】火力低減処理のタイムチャート
【図７】別実施形態のコンロの概略構成図
【図８】別実施形態のコンロの概略構成図
【図９】別実施形態のコンロの概略構成図
【図１０】別実施形態の五徳の構成を示す図
【符号の説明】
【００５２】
１          天板
２          五徳
２Ａ        基体
２Ｂ        爪部
３          加熱手段
４          運転制御手段
１３        脚状体
１４        受止め支持部材
Ｋ          被加熱物検出手段
【図１】
2007263507.tif 000003
【図２】
2007263507.tif 000004
【図３】
2007263507.tif 000005
【図４】
2007263507.tif 000006
【図５】
2007263507.tif 000007
【図６】
2007263507.tif 000008
【図７】
2007263507.tif 000009
【図８】
2007263507.tif 000010
【図９】
2007263507.tif 000011
【図１０】
2007263507.tif 000012